(57)【要約】【課題】組立性が向上したからくり時計を提供する。【解決手段】からくり時計１は、開閉動作により装飾体を露出、隠蔽させる複数の可動分割片２１〜２４と、複数の可動分割片２１〜２４を開閉動作させるべく各可動分割片を移動自在に保持するスライド板６１とを備え、スライド板６１及び可動分割片２１のうち少なくとも一方と一体に形成されると共にスライド板６１に可動分割片２１を組付けるための組付け構造を備え、前記組付け構造は、スライド板６１の両側から突出して形成された突出部６１４と、可動分割片２１の一方の面に断面Ｌ字状の先端部が互いに対向して所定方向に伸長して形成されると共に突出部６１４周面を挟み込む一対のレール部２１４とを含む。【選択図】          図１５
2007322397.tif 000002
【特許請求の範囲】
【請求項１】
開閉動作により装飾体を露出、隠蔽させる複数の分割片と、
前記複数の分割片を開閉動作させるべく各分割片を移動自在に保持する保持板とを備え、
前記保持板及び前記分割片のうち少なくとも一方と一体に形成されると共に前記保持板に前記分割片を組付けるための組付け構造を備え、
前記組付け構造は、前記保持板の両側から突出して形成された嵌合部と、前記分割片の一方の面に断面Ｌ字状の先端部が互いに対向して所定方向に伸長して形成されると共に前記嵌合部周面を挟み込む一対の挟持片とを含む、
ことを特徴とするからくり時計。
【請求項２】
前記挟持片には、前記挟持片間から前記嵌合部を押抜可能にして前記保持板から前記分割片を着脱するための切欠部が形成されており、
前記挟持片間に挿入された前記嵌合部を、前記切欠部からの退避位置に向けて前記保持板又は前記分割片を押し込むことにより、前記保持板に前記分割片が組付けられる、
ことを特徴とする請求項１に記載のからくり時計。
【請求項３】
前記組付け構造は、前記保持板と前記分割片との組付け後の前記切欠部からの前記嵌合部の脱落を防止すべく、前記退避位置から前記切欠部への前記保持板と前記分割片との相対移動を規制するストッパを含む、
ことを特徴とする請求項２に記載のからくり時計。
【請求項４】
前記ストッパによる規制方向と反対方向への前記保持板と前記分割片との相対移動を規制すべく、前記保持板及び前記分割片のうち少なくとも一方を前記規制方向に付勢するストッパ用付勢部材を備えた、
ことを特徴とする請求項３に記載のからくり時計
【請求項５】
前記組付け構造は、前記複数の分割片の閉動時に、前記分割片の停止位置から前記保持板の停止位置までの前記保持板と前記分割片との相対移動を許容するクリアランスを確保し、
前記保持板の停止時に前記分割片の開動方向と反対方向に前記分割片を付勢する開動防止用付勢部材を備えた、
ことを特徴とする請求項１乃至４の何れかに記載のからくり時計。
【請求項６】
前記閉動用付勢部材は、前記ストッパ用付勢部材と共用されている、
ことを特徴とする請求項５に記載のからくり時計。
【発明の詳細な説明】
【技術分野】
【０００１】
本発明は、からくり時計に関する。
【背景技術】
【０００２】
従来から、時計の文字盤を移動可能な可動文字盤で構成し、例えば正時になると、この可動文字盤を移動させて、その背後に収納されている装飾体が露出されるようなからくり時計が知られている（特許文献１参照）。
特許文献１に開示されているからくり時計は、可動文字盤を移動可能に案内支持する案内機構を備えている。この案内機構は、支持板上に突設された１対のガイドリブと、可動文字盤に設けられ上記１対のガイドリブのガイド面上を摺動する１対のスライダと、スライダをガイドリブのガイド面に押圧するバネ部材とにより構成される。
【０００３】
【特許文献１】特許第２５８５９４４号公報
【発明の開示】
【発明が解決しようとする課題】
【０００４】
しかし、このような案内機構は、可動文字盤とガイドリブとのガタつきを規制するために、スライダを取り付けた可動文字盤を、ガイドリブのガイド面上を摺動するように配置し、その後に、スライダを押圧するように支持板にバネ部材を組付ける必要がある。このように、上記案内機構では、可動文字盤を組付けるためには、複雑な組付け工程を経なければならなかった。
【０００５】
そこで、本発明は、組立性が向上したからくり時計を提供することを目的とする。
【課題を解決するための手段】
【０００６】
上記目的は、開閉動作により装飾体を露出、隠蔽させる複数の分割片と、前記複数の分割片を開閉動作させるべく各分割片を移動自在に保持する保持板とを備え、前記保持板及び前記分割片のうち少なくとも一方と一体に形成されると共に前記保持板に前記分割片を組付けるための組付け構造を備え、前記組付け構造は、前記保持板の両側から突出して形成された嵌合部と、前記分割片の一方の面に断面Ｌ字状の先端部が互いに対向して所定方向に伸長して形成されると共に前記嵌合部周面を挟み込む一対の挟持片とを含む、からくり時計によって達成できる。
この構成により、保持板に分割片を組付けるための組付け構造は、保持板及び分割片のうち少なくとも一方と一体に形成されているので、保持板に分割片を取り付けるための部材を別途設ける必要がない。従って、部品数を削減でき、保持板に分割片を容易に取り付けることができるので、組立性を向上させることができる。
また、断面Ｌ字状に形成され嵌合部周面を挟み込む一対の挟持片が分割片に形成されているので、保持板と分割片との垂直方向及び挟持片の伸長方向に直交する方向へのガタの発生を抑制することができる。従って、保持板に対する分割片の組付け精度を確保することができる。
【０００７】
また、上記構成において、前記挟持片には、前記挟持片間から前記嵌合部を押抜可能にして前記保持板から前記分割片を着脱するための切欠部が形成されており、前記挟持片間に挿入された前記嵌合部を、前記切欠部からの退避位置に向けて前記保持板又は前記分割片を押し込むことにより、前記保持板に前記分割片が組付けられる、構成を採用できる。
この構成により、保持板からの分割片の着脱が容易となる。
【０００８】
また、上記構成において、前記組付け構造は、前記保持板と前記分割片との組付け後の前記切欠部からの前記嵌合部の脱落を防止すべく、前記退避位置から前記切欠部への前記保持板と前記分割片との相対移動を規制するストッパを含む、構成を採用できる。
この構成により、保持板と分割片との組付け後に、保持板からの分割片の脱落を防止できる。
【０００９】
また、上記構成において、前記ストッパによる規制方向と反対方向への前記保持板と前記分割片との相対移動を規制すべく、前記保持板及び前記分割片のうち少なくとも一方を前記規制方向に付勢するストッパ用付勢部材を備えた、構成を採用できる。
この構成により、規制方向と反対方向への相対移動を規制することができるので、保持板に対する分割片の位置決めを確実に行うことができる。
【００１０】
また、上記構成において、前記組付け構造は、前記複数の分割片の閉動時に、前記分割片の停止位置から前記保持板の停止位置までの前記保持板と前記分割片との相対移動を許容するクリアランスを確保し、前記保持板の停止時に前記分割片の開動方向と反対方向に前記分割片を付勢する開動防止用付勢部材を備えた、構成を採用できる。
この構成により、複数の分割片が閉じた状態で更に分割片が開動方向と反対方向に付勢されるので、複数の分割片を閉じた状態において、分割片同士の間に隙間が発生することを防止でき、複数の分割片を閉じた状態で確実に保持することができる。
【００１１】
また、上記構成において、前記閉動用付勢部材は、前記ストッパ用付勢部材と共用されている、構成を採用できる。
この構成により、部品の集約化を図ることができる。
【発明の効果】
【００１２】
本発明によれば、組立性が向上したからくり時計を提供できる。
【発明を実施するための最良の形態】
【００１３】
以下、本発明の実施の形態に係るからくり時計について図面を参照して説明する。
図１乃至図５は、本発明に係るからくり時計の一実施形態を示すものであり、図１はその正面図、図２は後述する可動分割片が開動して、装飾体の一部が露出した状態を示す正面図、図３は、開動した可動分割片が４５°自転した状態を示す正面図、図４は、開動した可動分割片が９０°自転した状態を示す正面図、図５は、開動した可動分割片が１８０°自転した状態を示す正面図である。また、図６は、図１のＡ−Ａ断面図である。
【００１４】
この実施形態に係るからくり時計１は、外側輪郭を画定する筐体１１と、この筐体１１の前方を塞ぐガラス１２と、現在時刻を示す時針２及び分針３と、時針２及び分針３の回転軸４と、時針２及び分針３等を駆動するムーブメント５と、放射状に均等に分割された４つの扇状の可動分割片（複数の分割片）２１〜２４と回転軸４の周囲に配置された円状の固定分割片２５とに分割された文字盤２０と、円盤状の文字盤２０の背後に収納され可動分割片２１〜２４の開動及び自転により露出される装飾体３０と、装飾体３０の更に背後に位置し可動分割片２１〜２４を開閉及び自転させる駆動機構１０１〜１０４等から構成される。この複数の可動分割片２１〜２４の開閉動作により装飾体３０が露出、隠蔽される。
装飾体３０は、回転軸４の周囲を囲むように配置された第１装飾体３１と、第１装飾体の周囲に９０°づつ均等に配置された第２装飾体３２とから構成される。
尚、図６には、可動分割片２２、２４を駆動させるための駆動機構１０２、１０４についてのみ図示してある。また、図１乃至図５は、文字盤２０に印刷されている数字については省略している。
【００１５】
図１に示すように、通常時は、可動分割片２１〜２４は閉じられ、装飾体３０は露出されない。
所定時刻になると、図２に示すように、可動分割片２１〜２４は、それぞれ回転軸４を中心として、回転軸４の中心を原点とし、回転軸４に鉛直なＸＹ平面上で放射状に移動して、固定分割片２５から分離する。詳細には、前記ＸＹ平面において可動分割片２１は右方向（Ｘ＋）に移動し、可動分割片２２は下方向（Ｙ−）に移動し、可動分割片２３は左方向（Ｘ−）に移動し、可動分割片２４は上方向（Ｙ＋）に移動する。可動分割片２１〜２４が所定の位置まで会同すると、その背後に収納されている装飾体３０の一部のみが露出される。より詳細には、可動分割片２１〜２４のそれぞれが放射状に開動することにより第１装飾体３１の一部が露出し、また、隣接する可動分割片同士の隙間から第２装飾体３２が露出される。この第１装飾体３１及び第２装飾体３２は、回転駆動するように構成されている。このように、装飾体３０は凡そＸ字状に露出される。
【００１６】
次に、所定の位置まで開動した可動分割片２１〜２４は、所定の位置において時計方向に自転を開始する。図３に示すように、可動分割片２１〜２４が時計方向に４５°自転をしたときには、可動分割片２１〜２４は、可動分割片２１〜２４の全体での外縁が風車状に保持される。また、各可動分割片２１〜２４の、固定分割片２５に対向する側の縁により、第１装飾体３１は凡そ正方形状に露出される。
【００１７】
次に、図４に示すように、可動分割片２１〜２４が開動されて時計方向に９０°自転する。固定分割片２５を挟んで互いに対向する可動分割片２１、２３及び２２、２４は、互いに異なる方向を向くように保持される。また、装飾体３０は凡そＸ字状に露出される。
【００１８】
次に、図５に示すように、可動分割片２１〜２４が開動されて時計方向に１８０°自転する。この自転により、装飾体３０が大幅に露出され、第１装飾体３１及び第２装飾体３２の略全てが露出される。また、可動分割片２１〜２４は全体での外縁が菱形状に保持される。
以上のように、可動分割片２１〜２４の自転に応じて、装飾体３０の露出状態が変化する。
【００１９】
次に、可動分割片を駆動させるための駆動機構について説明する。
図７は、駆動機構１０４に伝達される回転駆動を説明するための断面図である。
図７に示すように、可動分割片２１〜２４を開閉作動させるための文字盤用モータブロック１１１が、駆動機構１０４の背後に配置されており、文字盤用モータブロック１１１により回転する駆動カナ１２１に、後述する駆動機構１０４に備えられた回転体４４の外周部に形成された歯車部４４２が噛合し、回転体４４は、駆動カナ１２１に従動して回転する。また、歯車部４４２は、ムーブメント５や装飾体３０の背後に配置されているアイドラギア７０と噛合して、アイドラギア７０は、駆動機構１０４の回転体４４に従動回転する。
【００２０】
また、アイドラギア７０の外周方向には、回転体４４以外にも、可動分割片２１〜２３を駆動させるための駆動機構のそれぞれに備えられた回転体が配置されており、図７には図示していないが、アイドラギア７０は、可動分割片２１〜２３を駆動させるための駆動機構のそれぞれに備えられた回転体の外周部に形成された歯車部と噛合し、前記回転体は、アイドラギア７０の回転に従動して回転する。
【００２１】
このように、文字盤用モータブロック１１１の回転駆動は、駆動機構１０４の回転体４４に伝達され、回転体４４からアイドラギア７０へ、アイドラギア７０から可動分割片２１〜２３を駆動させるための駆動機構のそれぞれに備えられた回転体へと伝達される。このような構成により、単一の駆動源で、複数の可動分割片を駆動させることができる。
【００２２】
また、図７に示すように、装飾体３０を駆動させるための装飾体用モータブロック３１１が、装飾体３０の背後に配置されており、装飾体用モータブロック３１１により回転する駆動カナ３２１は、第２装飾体用歯車３２２と噛合する。この第２装飾体用歯車３２２は、第２装飾体３２と連結され、第２装飾体用歯車３２２の回転に連動して第２装飾体３２が回転する。また、第２装飾体用歯車３２２は、回転軸４回りに回転自在に配置されていると共に上面に第１装飾体３１が固定されている第１装飾体用歯車８０と噛合し、第１装飾体用歯車８０は、第２装飾体用歯車３２２に従動回転する。また、第１装飾体用歯車８０は、他の第２装飾体を駆動させるための第２装飾体用歯車と噛合する。
【００２３】
このように、装飾体用モータブロック３１１の回転駆動は、第２装飾体用歯車３２２に伝達され、第２装飾体用歯車３２２から第１装飾体用歯車８０へ、第１装飾体用歯車８０から他の第２装飾体用歯車へ伝達される。このような構成により、単一の駆動源で、複数の装飾体を回転駆動させることができる。
【００２４】
次に、可動分割片を開閉及び自転させる駆動機構について詳細に説明する。
図８は、駆動機構の分解斜視図である。尚、図８に示されている駆動機構は、可動分割片２１を開閉及び自転させるための駆動機構である。
図９は、回転体と回転台との構成を示した図であり、図９（ａ）は、回転台の底面図、図９（ｂ）は、回転体に組付けた回転台の上面図、図９（ｃ）は、図９（ｂ）のＡ−Ａ断面図、図９（ｄ）は、地板回転軸に形成されたスリットの位置を示した図である。
【００２５】
図８に示すように、駆動機構１０１は、回転体４１と、回転台５１と、スライド板６１などから構成される。
まず、回転体４１について説明する。図８及び図９（ｃ）に示すように、回転体４１は、地板９０に形成された固定軸９１５を中心に回転自在に保持されると共に、地板９０に形成された凹部に収納される。
また、前述したように、回転体４１の外周部には、アイドラギア７０と噛合する歯車部４１２が形成されている。
また、回転体４１は、回転中心から偏倚した位置に一体に形成され、文字盤用モータブロック１１１からの回転駆動を出力する出力ピン４１３を有する。出力ピン４１３は、回転体４１の回転方向に垂直に伸長して形成されており、胴体部４１３１と、胴体部４１３１から伸長して形成され胴体部４１３１より径の小さい先端部４１３２が形成されている。
また、回転体４１は、軸受保持部４１４を有し、後述する回転台５１と摺動自在に当接する。
【００２６】
固定軸９１５は、胴体部９１５１より径の小さい先端部９１５２が伸長して形成されており、胴体部９１５１と先端部９１５２とは径方向の隙間には、トーションバネ４１７を収納するための空間が形成されている。このトーションバネ４１７は、先端部９１５２を巻回するように収納される。また、胴体部９１５１には、図９（ｃ）（ｄ）に示すように、トーションバネ４１７の回転体４１側の下端部４１７１を保持するためのスリット９１６が形成されている。
【００２７】
次に、回転台５１について説明する。
回転台５１は、固定軸９１５の先端部９１５２が貫通する貫通孔５１７１が形成されている。回転台５１は、固定軸９１５の先端部９１５２に形成されたねじ溝と螺合するねじ５１７３により、固定軸９１５の先端部９１５２が貫通孔５１７１を貫通した状態で固定軸９１５に対して摺動回転自在に保持される。
また、回転台５１は、固定軸９１５の先端部９１５２及び胴体部９１５１を囲うように円筒状の脚部５１７２が、回転体４１との対向する方向に伸長して形成されており、脚部５１７２が回転体４１の軸受保持部４１４と摺動回転自在に当接する。以上により、回転台５１は回転体４１に対して高さ方向には所定の位置を保持し、かつ同心に回転可能に保持される。
【００２８】
回転台５１には、貫通孔５１７１の周囲に半円弧状の円弧溝５１３が形成されており、出力ピン４１３の先端部４１３２と係合する。また、円弧溝５１３は、回転体４１の回転に伴って移動する出力ピン４１３の所定範囲の軌跡に沿って形成されている。
また、図９（ａ）〜（ｃ）に示すように、回転台５１の脚部５１７２の内周には、トーションバネ４１７の回転台５１側の上端部４１７２を保持するためのスリット５１６が形成されている。この回転台５１に形成されたスリット５１６と、固定軸９１５に形成されたスリット９１６とは、図９（ｃ）に示すように、互いに１８０°ずれた位置に形成されている。また、トーションバネ４１７は、自然の状態では、両端部が互いに同一方向を向くように形成されているが、スリット５１６、９１６に収納する際には、出力ピン４１３から伝達された回転台５１の回転方向（図９（ｂ）に示した場合で時計方向）と反対方向に付勢するように収納される。即ち、トーションバネ４１７の上端部４１７２を時計方向に捻じるようにして収納される。
これにより、出力ピン４１３が、円弧溝５１３の領域内で時計方向に移動した場合であっても、トーションバネ４１７の付勢力により、脚部５１７２と軸受保持部４１４とが摺動して、回転台５１は、固定軸９１５に対して停止した状態のまま、回転体４１のみが相対的に回転する。
また、詳しくは後述するが、出力ピン４１３が、所定範囲以上の移動をし、円弧溝５１３の端部において位置付けられた状態で更に回転体４１が回転することにより、回転台５１は、回転体４１と連動して回転し始める。
【００２９】
また、回転台５１には、地板９０に向けて突出した位置規制ピン５１１を有しており、地板９０には、回転台５１に向けて伸長した位置規制片７１が設置されている。この位置規制ピン５１１と位置規制片７１とが当接することにより、回転台５１の回転角度を規制している。また、トーションバネ４１７により回転台５１は一方方向に付勢されている。従って位置規制ピン５１１は、トーションバネ４１７により付勢された結果、位置規制片７１に対して当接する。位置規制ピン５１１と位置規制片７１が当接した位置が回転台５１の初期位置である。なお、初期位置側の円弧溝５１３の端部は、位置規制ピン５１１と位置規制片７１とが確実に当接するようわずかに余分に形成されている。従って、位置規制ピン５１１と位置規制片７１が当接した時、出力ピン４１３と初期位置側の円弧溝５１３の端部の間にはわずかに隙間が空いている。
【００３０】
また、回転台５１のスライド板６１と対向する面には、スライド板６１のスライドを案内するスライド案内部５１８が形成され、スライド案内部材５１９が固定されている。
【００３１】
次にスライド板６１について説明する。スライド板６１は、複数の可動分割片２１〜２４を開閉動作させるべく可動分割片２１を移動自在に保持する。
スライド板６１は、スライド案内部５１８と係合する第１スライド案内溝６１８と、スライド案内部材５１９と係合する第２スライド案内溝６１９とが形成されている。第１スライド案内溝６１８及び第２スライド案内溝６１９は、スライド板６１の長手方向に伸長して形成されている。また、スライド案内部５１８に形成されたねじ溝に螺合するねじ６１８１と、スライド案内部材５１９に形成されたねじ溝５１９１に螺合するねじ６１９１とにより、スライド板６１は、所定方向にスライド自在に回転台５１に組みつけられる。尚、スライド案内部材５１９と回転台５１とは、別体に形成されており、ねじ６１９１により組みつけられる。
また、スライド板６１には、その略中央部に、第１スライド案内溝６１８と垂直方向に伸長して形成された許容溝６１３が形成されている。出力ピン４１３の先端部４１３２は、許容溝６１３に係合する。この許容溝６１３は、出力ピン４１３の所定方向への移動を許容する。このような構成により、出力ピン４１３の所定範囲の移動に連動して、スライド板６１がスライドする。また、スライド板６１は回転台５１の回転に連動して回転する。
【００３２】
次に、駆動機構１０１の作動について説明する。
図１０及び図１１は、スライド板のスライドと回転の状態を示した透視図である。尚、可動分割片については省略してある。
図１０（ａ）は、スライド板６１が初期位置に保持されている状態を示しており、可動分割片２１は図１に示されている状態で保持されている。この状態から、出力ピン４１３の先端部４１３２が許容溝６１３及び円弧溝５１３に係合して、回転体４１は時計方向に回転する。
【００３３】
図１０（ｂ）は、図１０（ａ）の状態から回転体４１が時計方向に９０°回転し、出力ピン４１３の先端部４１３２が、許容溝６１３の端部に位置し、円弧溝５１３の中心部に位置した際の状態を示している。出力ピン４１３が円弧溝５１３の中心部に移動することにより、スライド板６１は、出力ピン４１３の先端部４１３２により右方向にスライドし、また、スライド案内部５１８及びスライド案内部材５１９により、スライド板６１のスライド方向が規制される。尚、この状態においては、回転台５１は、回転しない。
【００３４】
図１０（ｃ）は、図１０（ｂ）の状態から更に回転体４１が時計方向に９０°回転し、出力ピン４１３の先端部４１３２が、円弧溝５１３の端部に位置した際の状態を示している。出力ピン４１３の移動により、スライド板６１は、図１０（ｂ）に示した状態よりも更に右方向にスライドする。また、可動分割片２１は、図２に示されている状態で保持される。尚、この状態においても、回転台５１は、回転し始めない。
【００３５】
図１１（ｄ）は、図１０（ｃ）の状態から更に回転体４１が時計方向に４５°回転し、出力ピン４１３の先端部４１３２が、円弧溝５１３の端部に位置付けられた状態で、回転台５１が時計方向に４５°回転した状態を示している。また、回転台５１の回転に連動してスライド板６１も時計方向に４５°回転する。また、可動分割片２１は、図３に示されている状態で保持される。
【００３６】
図１１（ｅ）は、図１１（ｄ）の状態から更に回転体４１が時計方向に９０°回転し、回転台５１、スライド板６１共に回転した状態を示している。
図１１（ｆ）は、図１１（ｅ）の状態から更に回転体４１が時計方向に４５°回転した状態を示しており、可動分割片２１は図５に示されている状態で保持される。
このような構成により、回転体４１の回転により可動分割片２１を開閉及び自転させることができる。
【００３７】
尚、図１１（ｆ）の状態から、図１０（ａ）の状態にまで復帰するには、まず図１１（ｆ）の状態から図１０（ｃ）の状態まで、回転体４１を逆転させる。この際トーションバネ４１７の復元力により回転台５１及びスライド板６１とが回転体４１の回転に追従して、半時計方向に回転する。回転第５１が図１１（ｃ）に示した初期位置に復帰した後、図１１（ｃ）の状態から図１１（ａ）の状態まで、回転体４１を回転させて可動分割片２１を初期位置まで復帰させる。
【００３８】
次に、可動分割片とスライド板との組付けについて詳細に説明する。
図１２は、スライド板の構成を示した図であり、図１２（ａ）は、スライド板の正面図、図１２（ｂ）は、図１２（ａ）のＡ−Ａ断面図、図１２（ｃ）は、図１２（ａ）のＢ−Ｂ断面図、図１２（ｄ）は、スライド板の斜視図である。
図１３は、可動分割片の構成を示した図であり、図１３（ａ）は、可動分割片の正面図、図１３（ｂ）は、図１３（ａ）のＡ−Ａ断面図、図１３（ｃ）は、図１３（ａ）のＢ−Ｂ断面図、図１３（ｄ）は、可動分割片の斜視図である。
【００３９】
図１２に示すように、スライド板６１の左右の両側には、突出して形成された突出部（嵌合部）６１４を有している。この突出部６１４は、スライド板６１の左右の各側面に、所定の間隔を有して２箇所形成されている。
なお、突出部６１４の先端にはスライド板６１に対して垂直な方向に半球状の突出部が設けてある。突出部６１４の先端に設けられた半球状の突出部と、後述するレール面２１４ａとが当接する。この半球状の突出部の形状により、摩擦抵抗を低く抑える事ができるので、スライド板６１のスライド動作を円滑に行なうことが可能となる。
また、スライド板６１には、許容溝６１３の近傍に、スライド板６１に対して垂直方向に突出した突起部６１６が形成されている。
また、スライド板６１には、パッチン爪（脱落防止用ストッパ、位置決め用ストッパ）６１５が形成されている。この突出部６１４、突起部６１６、パッチン爪６１５は、スライド板６１と一体に形成されている。
【００４０】
可動分割片２１は、図１３に示すように、スライド板６１と対向する面に、断面Ｌ字状の先端部が互いに対向して可動分割片２１と平行に伸長した一対のレール部（挟持片）２１４が形成されている。このレール部２１４は、可動分割片２１と一体に形成されている。レール部２１４は、スライド板６１によりスライドする方向、即ち可動分割片２１が開動する方向に伸長して形成されている。レール部２１４の内面に、前述した突出部６１４が摺動可能に当接するレール面２１４ａが形成されている。また、レール部２１４は、可動分割片２１の中心を通過し可動分割片２１の移動方向に平行な中心線に対して左右それぞれに形成されている。また、各レール部２１４の近傍に各レール部２１４の伸長する方向に沿うように開口部２１４２、２１４３が形成されている。尚、開口部２１４３は、開口部２１４２よりも大きく形成されている。
【００４１】
また、各レール部２１４には、切欠部２１４１が２箇所形成されている。この２箇所に形成された切欠部２１４１は、スライド板６１の各側面に２箇所に形成された突出部６１４と対応するように、所定の間隔を有して形成されている。
この切欠部２１４１は、レール部２１４間から突出部６１４を押抜可能にしてスライド板６１から可動分割片２１を着脱するために形成にされている。
このレール部２１４は、スライド板６１の突出部６１４が摺動可能に形成されている。
【００４２】
また、可動分割片２１には度当り部（脱落防止用ストッパ、位置決め用ストッパ）２１５が形成されている。この度当り部２１５は、スライド板６１と対向する面に形成され、スライド板６１のパッチン爪６１５と係止するように形成されている。
【００４３】
また、可動分割片２１のスライド板６１と対向する面には、線バネ（ストッパ用付勢部材、開動防止用付勢部材）２１６を取り付けるための取付部２１６１が形成されている。この線バネ２１６は、可動分割片２１の移動方向に対して垂直に取り付けられる。尚、図１３には、線バネ２１６については省略してある。
なお線バネ２１６を取り付けるための取付部２１６１において、線バネ２１６の両端にあたる部分は、線バネ２１６の脱落を防止するためにＵ字型に閉じられている。
【００４４】
以上に説明した、レール部２１４、度当り部２１５、突出部６１４、パッチン爪６１５が、スライド板６１に可動分割片２１を組付けるための組付け構造として機能する。
【００４５】
次に、スライド板６１への可動分割片２１の組付け方法について説明する。
図１４は、可動分割片のレール部にスライド板の突出部を挿入した際の状態を示す図であり、図１４（ａ）は、その正面図、図１４（ｂ）は図１４（ａ）のＣ−Ｃ断面図である。図１５は、可動分割片のレール部にスライド板の突出部を挿入してスライド板に可動分割片を組付けた場合の状態を示す図でり、図１５（ａ）は、その正面図、図１５（ｂ）は、図１５（ａ）のＡ−Ａ断面図、図１５（ｃ）は、図１５（ａ）のＢ−Ｂ断面図である。
【００４６】
図１４に示すように、可動分割片２１のレール部２１４に形成された切欠部２１４１に、スライド板６１の突出部６１４を挿入する。この状態で、スライド板６１の上面と、可動分割片２１の下面とが当接する。
次に、図１４に示した状態で、突出部６１４を切欠部２１４１からの退避位置にスライド板６１又は可動分割片２１を押し込むことにより、図１５に示すように、突出部６１４は切欠部２１４１を離れて、突出部６１４を挟み込むようにレール部２１４内に収納される。突出部６１４がレール部２１４内に収納されることにより、可動分割片２１はスライド板６１に組付けられる。
【００４７】
また、図１５に示すように、パッチン爪６１５と度当り部２１５とが係止する。このパッチン爪６１５と度当り部２１５により、スライド板６１と可動分割片２１との、レール部２１４が伸長した方向への相対的な移動が規制される。
また、線バネ２１６は、このパッチン爪６１５と度当り部２１５による規制方向と反対方向への、スライド板６１と可動分割片２１との相対的な移動を規制すべく、スライド板６１及び可動分割片２１を前記規制方向に付勢する。
【００４８】
以上のように、突出部６１４がスライド板６１に一体に形成され、レール部２１４が可動分割片２１に一体に形成されているので、保持板に分割片を取り付けるための部材を別途設ける必要がない。従って、部品数を削減でき、保持板に分割片を容易に取り付けることができるので、組立性を向上させることができる。
【００４９】
また、断面Ｌ字状に形成され突出部６１４周面を挟み込む一対のレール部２１４が可動分割片２１に形成されているので、スライド板６１と可動分割片２１との垂直方向及びレール部２１４の伸長方向に直交する方向へのガタの発生を抑制することができる。従って、スライド板６１に対する可動分割片２１の組付け精度を確保することができる。
詳細には、突出部６１４の半球状の突出部とレール面２１４ａとが当接し、スライド板６１の上面と可動分割片２１の底面とが当接するので、スライド板６１と可動分割片２１との垂直方向へのガタつきを規制することができる。また、突出部６１４の側面とレール部２１４の内側面とが当接するので、レール部２１４が伸長する方向と垂直方向へのガタつきが規制される。
【００５０】
また、前述したように、レール部２１４間に挿入された突出部６１４を切欠部２１４１からの退避位置に向けて、スライド板６１又は可動分割片２１を押し込んでいくと、やがてパッチン爪６１５と度当たり部２１５とがはめあう。
このパッチン爪６１５と度当り部２１５とがはめあうことで、スライド板６１と可動分割片２１との組付け後の切欠部２１４１からの突出部６１４の脱落が防止される。
【００５１】
また、前述したように、パッチン爪６１５と度当り部２１５とによる規制方向とは反対方向へのスライド板６１と可動分割片２１との相対移動を規制すべく、線バネ２１６は、スライド板６１と可動分割片２１を前記規制方向に付勢する。
詳細には、スライド板６１に対する可動分割片２１の組付けにより、線バネ２１６の中心部に突起部６１６が当接して、線バネ２１６は、スライド板６１及び可動分割片２１に付勢力を与える。尚、線バネ２１６は、パッチン爪６１５と度当り部２１５とによる係止状態が外れない程度の付勢力をスライド板６１及び可動分割片２１に与える。
この構成により、規制方向と反対方向への相対移動を規制することができるので、スライド板６１に対する可動分割片２１の位置決めを確実に行うことができる。
【００５２】
このように、レール部２１４間に挿入された突出部６１４を切欠部２１４１からの退避位置に向けて、スライド板６１又は可動分割片２１を押し込むだけで、スライド板６１に可動分割片２１を容易に組付けることが可能となる。また、この構成により、スライド板６１からの可動分割片２１の取り外しも容易に行うことが可能となる。
【００５３】
次に、複数の可動分割片２１〜２４が閉動する際のスライド板６１と可動分割片２１との状態について説明する。
例えば、図２に示した状態から図１に示した状態に移行する際に、複数の可動分割片２１〜２４は、まず、固定分割片２５に当接して、次に、隣接する可動分割片の縁に当接して、図１の状態に移行する。
【００５４】
ここで、図１に示した状態において、各可動分割片２１〜２４は、閉じられた状態のままであるが、スライド板６１は、回転台５１及び回転体４１からの駆動により、僅かに可動分割片２１〜２４の固定分割片の方向へ移動する。
これは、レール部２１４、突出部６１４、パッチン爪６１５及び度当り部２１５により、可動分割片２１の停止位置からスライド板６１の停止位置までのスライド板６１と可動分割片２１との相対移動を許容するクリアランスが確保されているからである。
【００５５】
図１６は、スライド板６１と可動分割片２１とのクリアランスについて説明するための拡大図である。
図１６に示すように、レール部２１４は、スライド板６１に可動分割片２１を組付けた場合にも、更に可動分割片２１がパッチン爪６１５と度当り部２１５とによる規制方向と反対方向への相対移動を許容するクリアランスが確保されている。
【００５６】
また、このクリアランスにより、複数の可動分割片２１〜２４による閉動時に、可動分割片２１が所定位置で停止後、スライド板６１が、可動分割片２１の開動方向と反対方向（パッチン爪６１５と度当り部２１５とによる規制方向と反対方向）に更に移動して所定位置で停止する。この際に、スライド板６１の突起部６１６は、線バネ２１６を、可動分割片２１の開動方向と反対方向に向けて更に押付ける。これにより、線バネ２１６は、可動分割片２１の開動方向と反対方向に向けて、付勢力を更に強めて可動分割片２１を付勢する。
【００５７】
この構成により、複数の可動分割片２１〜２４が閉じた状態で更に可動分割片２１〜２４が開動方向と反対方向に付勢されるので、複数の可動分割片２１〜２４を閉じた状態において、可動分割片２１〜２４同士の間に隙間が発生することを防止でき、複数の可動分割片２１〜２４を閉じた状態で確実に保持することができる。
【００５８】
また、線バネ２１６は、上述したように、スライド板６１に対する可動分割片２１の位置決めを確実に行うストッパ用付勢機能を有していると共に、複数の可動分割片２１〜２４を閉じた状態で確実に保持する開動防止用付勢機能を有しているので、単一の線バネ２１６で複数の機能を有しているので、部品の集約化を図ることができる。
【００５９】
以上本発明の好ましい一実施形態について詳述したが、本発明は係る特定の実施形態に限定されるものではなく、特許請求の範囲に記載された本発明の要旨の範囲内において、種々の変形・変更が可能である。
上記実施例において、可動分割片は、４つに分割された文字盤により構成されるが、このような構成に限定されず、例えば、３つに分割された文字盤であってもよいし、４つ以上に分割された文字盤であってもよい。
上記実施例において、パッチン爪６１５及び度当り部２１５は、ストッパ用付勢機能及び開動防止用付勢機能の双方の機能を有するが、このような構成に限定されず、例えば、上記の機能を個別に有するパッチン爪及び度当り部を設けてもよい。
【図面の簡単な説明】
【００６０】
【図１】本発明に係るからくり時計の正面図である。
【図２】可動分割片が開動して、装飾体の一部が露出した状態を示す正面図である。
【図３】開動した可動分割片が４５°自転した状態を示す正面図である。
【図４】開動した可動分割片が９０°自転した状態を示す正面図である。
【図５】開動した可動分割片が１８０°自転した状態を示す正面図である。
【図６】図１のＡ−Ａ断面図である
【図７】駆動機構１０４に伝達される回転駆動を説明するための断面図である。
【図８】駆動機構の分解斜視図である。
【図９】回転体と回転台との構成を示した図である。
【図１０】スライド板のスライドと回転の状態を示した透視図である。
【図１１】スライド板のスライドと回転の状態を示した透視図である。
【図１２】スライド板の構成を示した図である。
【図１３】可動分割片の構成を示した図である。
【図１４】可動分割片のレール部にスライド板の突出部を挿入した際の状態を示す図である。
【図１５】可動分割片のレール部にスライド板の突出部を挿入してスライド板に可動分割片を組付けた場合の状態を示す図である。
【図１６】スライド板と可動分割片とのクリアランスについて説明するための拡大図である。
【符号の説明】
【００６１】
１                    からくり時計
２                    時針
３                    分針
４                    回転軸
５                    ムーブメント
１１                  筐体
１２                  ガラス
２０                  文字盤
２１〜２４            可動分割片
２１４                レール部（挟持片）
２１４ａ              レール面
２１４１              切欠部
２１４２、２１４３    開口部
２１５                度当り部（ストッパ）
２１６                線バネ（ストッパ用付勢部材、開動防止用付勢部材）
２１６１              取付部
２１７                開口部
２５                  固定分割片
３０                  装飾体
３１                  第１装飾体
３２                  第２装飾体
４１、４４            回転体
４１２                歯車部
４１３                出力ピン
４１３１              胴体部
４１３２              先端部
４１４                軸受保持部
４１７                トーションバネ
４１７１              下端部
４１７２              上端部
５１                  回転台
５１１                位置規制ピン
５１３                円弧溝
５１６                スリット
５１７１              貫通孔
５１７２              脚部
５１８                スライド案内部
５１９                スライド案内部材
６１                  スライド板
６１３                許容溝
６１４                突出部（嵌合部）
６１５                パッチン爪（ストッパ）
６１６                突起部
６１８                第１スライド案内溝
６１９                第２スライド案内溝
７０                  アイドラギア
７１                  位置規制片
８０                  第１装飾体用歯車
９０                  地板
９１５                固定軸
９１５１              胴体部
９１５２              先端部
９１６                スリット
１０１、１０４        駆動機構
１１１                文字盤用モータブロック
１２１                駆動カナ
３１１                装飾体用モータブロック
【図１】
2007322397.tif 000003
【図２】
2007322397.tif 000004
【図３】
2007322397.tif 000005
【図４】
2007322397.tif 000006
【図５】
2007322397.tif 000007
【図６】
2007322397.tif 000008
【図７】
2007322397.tif 000009
【図８】
2007322397.tif 000010
【図９】
2007322397.tif 000011
【図１０】
2007322397.tif 000012
【図１１】
2007322397.tif 000013
【図１２】
2007322397.tif 000014
【図１３】
2007322397.tif 000015
【図１４】
2007322397.tif 000016
【図１５】
2007322397.tif 000017
【図１６】
2007322397.tif 000018